(57)【要約】【課題】ドライバＩＣに供給される電源電圧を遮断する際に表示状態（表示画像）が乱れることを抑制できる反射型表示装置の駆動方法を提供する。【解決手段】反射型表示装置の共通電極および各表示電極には、少なくともＧＮＤ電位と、ＧＮＤ電位とは異なる第１電位と、ＧＮＤ電位に対して第１電位と同極性であって当該第１電位より絶対値が大きい第２電位と、を選択的に出力可能なドライバＩＣが電気的に接続されており、表示書き換えタイミングにおいて、共通電極に第１電位を接続するとともに、各表示電極にＧＮＤ電位と第１電位と第２電位とからなる群のうちのいずれかを選択的に接続し、その後、共通電極と各表示電極とに一斉にＧＮＤ電位を接続し、共通電極と各表示電極とがＧＮＤ電位に接続された状態で、ドライバＩＣに供給される電源電圧を遮断する。【選択図】図４
2015232609.tif 000002
【特許請求の範囲】
【請求項１】
少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置であって、
一方の基板と他方の基板との間には、複数の表示領域を覆う共通電極と、前記表示媒体が配置された表示媒体層と、前記複数の表示領域の各々に対応する複数の表示電極とが、前記一方の基板側から前記他方の基板側に向かって当該順序で設けられており、
前記共通電極および各表示電極には、少なくともＧＮＤ電位と、ＧＮＤ電位とは異なる第１電位と、ＧＮＤ電位に対して前記第１電位と同極性であって当該第１電位より絶対値が大きい第２電位と、を選択的に出力可能なドライバＩＣが電気的に接続されており、
前記複数の表示領域の各々は、当該表示領域に対応する表示電極に印加される電圧の、前記共通電極に印加される電圧に対する極性に応じて、第１色および第２色のうちいずれか一方の表示色を選択的に表示可能である、という反射型表示装置を駆動する方法であって、
表示書き換えタイミングにおいて、前記共通電極に前記第１電位を接続するとともに、各表示電極にＧＮＤ電位と前記第１電位と前記第２電位のうちのいずれかを選択的に接続し、その後、前記共通電極と各表示電極とにＧＮＤ電位を接続し、前記共通電極と各表示電極とがＧＮＤ電位に接続された状態で、前記ドライバＩＣに供給される電源電圧を遮断する
ことを特徴とする反射型表示装置の駆動方法。
【請求項２】
表示書き換えタイミングにおいて、前記共通電極に前記第１電位を接続するとともに、各表示電極にＧＮＤ電位と前記第１電位と前記第２電位のうちのいずれかを選択的に接続した後、前記共通電極と各表示電極とにＧＮＤ電位を接続する前に、ＧＮＤ電位に接続された表示電極および／または前記第２電位に接続された表示電極にも前記第１電位を接続する
ことを特徴とする請求項１に記載の反射型表示装置の駆動方法。
【請求項３】
少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置であって、
一方の基板と他方の基板との間に設けられ、前記表示媒体が配置された表示媒体層と、
前記一方の基板上に設けられ、複数の表示領域を覆う共通電極と、
前記他方の基板上に設けられ、前記複数の表示領域の各々に対応する複数の表示電極と、
前記共通電極および各表示電極に電気的に接続され、少なくともＧＮＤ電位と、ＧＮＤ電位とは異なる第１電位と、ＧＮＤ電位に対して前記第１電位と同極性であって当該第１電位より絶対値が大きい第２電位と、を選択的に出力可能なドライバＩＣと、
前記ドライバＩＣから前記共通電極および各表示電極への電圧印加および当該ドライバＩＣへの電源電圧の供給を制御する電圧印加制御部と、
を備え、
前記複数の表示領域の各々は、当該表示領域に対応する表示電極に印加される電圧の、前記共通電極に印加される電圧に対する極性に応じて、第１色および第２色のうちいずれか一方の表示色を選択的に表示可能であり、
前記電圧印加制御部は、表示書き換えタイミングにおいて、前記共通電極に前記第１電位を接続するとともに、各表示電極にＧＮＤ電位と前記第１電位と前記第２電位のうちのいずれかを選択的に接続し、その後、前記共通電極と各表示電極とにＧＮＤ電位を接続し、前記共通電極と各表示電極とがＧＮＤ電位に接続された状態で、前記ドライバＩＣに供給される電源電圧を遮断するようになっている
ことを特徴とする反射型表示装置。
【請求項４】
前記電圧印加制御部は、表示書き換えタイミングにおいて、前記共通電極に前記第１電位を接続するとともに、各表示電極にＧＮＤ電位と前記第１電位と前記第２電位のうちのいずれかを選択的に接続した後、前記共通電極と各表示電極とにＧＮＤ電位を接続する前に、ＧＮＤ電位に接続された表示電極および前記第２電位に接続された表示電極にも前記第１電位を接続するようになっている
ことを特徴とする請求項３に記載の反射型表示装置。
【発明の詳細な説明】
【技術分野】
【０００１】
本発明は、電子ペーパー等に応用されている反射型表示装置の駆動方法に関する。
【背景技術】
【０００２】
反射型表示装置として、最近、表示媒体に含まれる電気応答性材料として電気泳動体を用いた電気泳動表示装置が広く用いられている。電気泳動表示装置とは、空気中または溶媒中の電気泳動体（通常は電気泳動する粒子）の電気的な泳動、すなわち粒子移動を利用して情報を表示する装置である。通常、２枚の基板間に電界を与えることで電気的な泳動の状態が制御され、それによって所望の表示が実現されるように構成される。例えば特許文献１（特開２００５−２０２２４５号公報）には、そのような電気泳動表示装置の従来例が開示されている。電気泳動体としては、荷電粒子の他、荷電粉体をも利用され得る。その場合、当該荷電粉体は気体中を電気的に泳動する。
【０００３】
電気泳動表示装置は、近年では特に、電子ペーパーとしての応用が注目されている。電子ペーパーとして応用する場合には、印刷物レベルの視認性（目にやさしい）、情報書き換えの容易性、低消費電力、軽量といった利点を享受できる。
【０００４】
電気泳動表示装置の１つのタイプの構造をより詳しく説明すると、一方の基板と他方の基板との間には、複数の表示領域を覆う共通電極と、電気泳動体を含む表示媒体が配置された表示媒体層と、複数の表示領域の各々に対応する複数の表示電極とが、一方の基板側から他方の基板側に向かって当該順序で設けられており、共通電極は、ＧＮＤ電位を接続されており、複数の表示領域の各々は、当該表示領域に対応する表示電極に印加される電圧の極性に応じて、第１色および第２色のうちいずれか一方の表示色を共通電極側（視認側）に選択的に表示可能である。
【０００５】
具体的には、例えば、表示媒体中に正に帯電した黒色の電気泳動粒子と負に帯電した白色の電気泳動粒子とが含まれる場合、表示電極に正電圧が印加されると、黒色の電気泳動粒子および白色の電気泳動粒子にそれぞれ電気的な力が作用して、白色の電気泳動粒子が表示電極側に移動すると共に、黒色の電気泳動粒子が共通電極側に移動する。これにより、表示領域の共通電極側には黒色が表示される。一方、表示電極に負電圧が印加されると、白色の電気泳動粒子が共通電極側に移動すると共に、黒色の電気泳動粒子が表示電極側に移動する。これにより、表示領域の共通電極側には白色が表示される。表示電極にＧＮＤ電位を接続されると（すなわち、表示電極への電圧印加が停止されると）、黒色の電気泳動粒子および白色の電気泳動粒子にそれぞれ作用していた電気的な力が消失するため、黒色の電気泳動粒子および白色の電気泳動粒子は各々その場に静止する。これにより、表示領域の表示色は保持される。
【先行技術文献】
【特許文献】
【０００６】
【特許文献１】特開２００５−２０２２４５号公報
【発明の概要】
【発明が解決しようとする課題】
【０００７】
一般に、ＧＮＤ電位と、ＧＮＤ電位とは異なる正電位と、ＧＮＤ電位に対して前記正電位とは逆極性の負電位と、を選択的に出力可能なドライバＩＣに比べて、ＧＮＤ電位と、ＧＮＤ電位とは異なる第１電位と、ＧＮＤ電位に対して前記第１電位と同極性であって当該第１電位より絶対値が大きい第２電位と、を選択的に出力可能なドライバＩＣの方が、最大出力電圧の大きいものが多い、という利点がある。
【０００８】
そのため、本件発明者は、ＧＮＤ電位と、ＧＮＤ電位とは異なる正電位と、ＧＮＤ電位に対して前記正電位とは逆極性の負電位と、を選択的に出力可能なドライバＩＣの代わりに、ＧＮＤ電位と、ＧＮＤ電位とは異なる第１電位と、ＧＮＤ電位に対して前記第１電位と同極性であって当該第１電位より絶対値が大きい第２電位と、を選択的に出力可能なドライバＩＣを、反射型表示装置の駆動回路に用いることを考えている。この場合、共通電極に第１電位を接続するとともに、各表示電極にＧＮＤ電位と第１電位と第２電位のうちのいずれかを選択的に接続することで、表示状態の書き換えが行われ得る。
【０００９】
ところで、反射型表示装置の各表示領域は、表示電極への電圧印加が停止されても、前述のようにその表示色をある程度の期間に亘って保持することができるため、保持状態においては、低消費電力化（省待機電力化）のために、ドライバＩＣに供給される電源電圧を遮断しておくことが好ましい。
【００１０】
本件発明者は、当初、共通電極に第１電位を接続するとともに、各表示電極にＧＮＤ電位と第１電位と第２電位とからなる群のうちのいずれかを選択的に接続して、表示状態の書き換えを行った後、各表示電極に共通電極と同電位、すなわち第１電位を接続し、共通電極と各表示電極とがいずれも第１電位に接続された状態で、ドライバＩＣに供給される電源電圧を遮断することを考えた。しかしながら、この方法では、ドライバＩＣに供給される電源電圧を遮断する際に、表示状態（表示画像）が乱れてしまうという問題があった。
【００１１】
これは、以下の理由によるものと考えられる。すなわち、ドライバＩＣへの電源電圧が遮断されると、ドライバＩＣから共通電極および各表示電極への電圧印加が停止され、その後の自由放電により、共通電極および各表示電極の電位はＧＮＤ電位へと徐々に変化していく。ここで、共通電極および各表示電極の大きさに依存する静電容量やＧＮＤ電位に対する電気抵抗の違いにより、電位変化のスピードは、共通電極および各表示電極の間で異なっている。そのため、電位変化のスピードの違いにより、共通電極および各表示電極の間に電位差が生じることがあり、この電位差により表示媒体中の電気泳動体が移動してしまうことがある。
【００１２】
本発明は、このような本件発明者の知見に基づくものである。本発明は、ドライバＩＣに供給される電源電圧を遮断する際に表示状態（表示画像）が乱れることを抑制できる反射型表示装置の駆動方法を提供することにある。また、本発明の目的は、そのような駆動方法に対応できる反射型表示装置を提供することにある。
【課題を解決するための手段】
【００１３】
本発明は、少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置であって、一方の基板と他方の基板との間には、複数の表示領域を覆う共通電極と、前記表示媒体が配置された表示媒体層と、前記複数の表示領域の各々に対応する複数の表示電極とが、前記一方の基板側から前記他方の基板側に向かって当該順序で設けられており、前記共通電極および各表示電極には、少なくともＧＮＤ電位と、ＧＮＤ電位とは異なる第１電位と、ＧＮＤ電位に対して前記第１電位と同極性であって当該第１電位より絶対値が大きい第２電位と、を選択的に出力可能なドライバＩＣが電気的に接続されており、前記複数の表示領域の各々は、当該表示領域に対応する表示電極に印加される電圧の、前記共通電極に印加される電圧に対する極性に応じて、第１色および第２色のうちいずれか一方の表示色を選択的に表示可能である、という反射型表示装置を駆動する方法であって、表示書き換えタイミングにおいて、前記共通電極に前記第１電位を接続するとともに、各表示電極にＧＮＤ電位と前記第１電位と前記第２電位のうちのいずれかを選択的に接続し、その後、前記共通電極と各表示電極とにＧＮＤ電位を接続し、前記共通電極と各表示電極とがＧＮＤ電位に接続された状態で、前記ドライバＩＣに供給される電源電圧を遮断することを特徴とする反射型表示装置の駆動方法である。
【００１４】
好ましくは、表示書き換えタイミングにおいて、前記共通電極に前記第１電位を接続するとともに、各表示電極にＧＮＤ電位と前記第１電位と前記第２電位のうちのいずれかを選択的に接続した後、前記共通電極と各表示電極とにＧＮＤ電位を接続する前に、ＧＮＤ電位に接続された表示電極および／または前記第２電位に接続された表示電極にも前記第１電位を接続する。
【００１５】
また、本発明は、前記のような駆動方法に対応できる反射型表示装置である。すなわち、少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置であって、一方の基板と他方の基板との間に設けられ、前記表示媒体が配置された表示媒体層と、前記一方の基板上に設けられ、複数の表示領域を覆う共通電極と、前記他方の基板上に設けられ、前記複数の表示領域の各々に対応する複数の表示電極と、前記共通電極および各表示電極に電気的に接続され、少なくともＧＮＤ電位と、ＧＮＤ電位とは異なる第１電位と、ＧＮＤ電位に対して前記第１電位と同極性であって当該第１電位より絶対値が大きい第２電位と、を選択的に出力可能なドライバＩＣと、前記ドライバＩＣから前記共通電極および各表示電極への電圧印加および当該ドライバＩＣへの電源電圧の供給を制御する電圧印加制御部と、を備え、前記複数の表示領域の各々は、当該表示領域に対応する表示電極に印加される電圧の、前記共通電極に印加される電圧に対する極性に応じて、第１色および第２色のうちいずれか一方の表示色を選択的に表示可能であり、前記電圧印加制御部は、表示書き換えタイミングにおいて、前記共通電極に前記第１電位を接続するとともに、各表示電極にＧＮＤ電位と前記第１電位と前記第２電位のうちのいずれかを選択的に接続し、その後、前記共通電極と各表示電極とにＧＮＤ電位を接続し、前記共通電極と各表示電極とがＧＮＤ電位に接続された状態で、前記ドライバＩＣに供給される電源電圧を遮断するようになっていることを特徴とする反射型表示装置である。
【００１６】
好ましくは、前記電圧印加制御部は、表示書き換えタイミングにおいて、前記共通電極に前記第１電位を接続するとともに、各表示電極にＧＮＤ電位と前記第１電位と前記第２電位のうちのいずれかを選択的に接続した後、前記共通電極と各表示電極とにＧＮＤ電位を接続する前に、ＧＮＤ電位に接続された表示電極および／または前記第２電位に接続された表示電極にも前記第１電位を接続するようになっている。
【発明の効果】
【００１７】
本発明によれば、ドライバＩＣに供給される電源電圧を遮断する際に表示状態（表示画像）が乱れることを抑制できる。
【図面の簡単な説明】
【００１８】
【図１】図１は、本発明の一実施の形態による反射型表示装置を示す概略構成図である。
【図２】図２は、図１に示す反射型表示装置の概略平面図である。
【図３】図３（ａ）〜図３（ｄ）は、それぞれ、図１に示す反射型表示装置に表示される表示画像の一例を示す概略図である。
【図４】図４は、図３（ａ）〜図３（ｄ）に示す表示画像をこの順序で書き換える際に、各表示電極に印加される電圧の波形を示す概略図である。
【発明を実施するための形態】
【００１９】
以下に、添付の図面を参照して、本発明の実施の形態を詳細に説明する。
【００２０】
図１は、本発明の一実施の形態による反射型表示装置を示す概略構成図である。図２は、図１に示す反射型表示装置の概略平面図である。
【００２１】
図１および図２に示すように、本実施の形態による反射型表示装置１０は、少なくとも一方が透光性を有しており各々電極１２または１５ａ、１５ｂ、１５ｃが形成されている対向する２枚の基板１１、１６間に少なくとも１種以上の電気応答性材料を含む表示媒体１３が封入されていて、前記２枚の基板１１、１６間に所定の電界が与えられる際に所望の表示をするようになっている。ここで、本件の明細書および特許請求の範囲において「透光性」とは、光を通過する性質、という程度の意味である。本実施の形態においては、視認側に配置される基板は、全光透過率が５０％以上、好ましくは８０％以上、さらに好ましくは９０％以上となるような透光性を有している。
【００２２】
本実施の形態においては、図１に示すように、一方の基板１１と他方の基板１６との間には、複数（図示された例では３つ）の表示領域１８ａ、１８ｂ、１８ｃを覆う１つまたは２つ以上（図示された例では１つ）の共通電極１２と、表示媒体１３が配置された表示媒体層と、複数の表示領域１８ａ、１８ｂ、１８ｃの各々に対応する複数（図示された例では３つ）の表示電極１５ａ、１５ｂ、１５ｃとが、一方の基板１１側から他方の基板１６側に向かって当該順序で設けられている。ここで「表示領域」とは、反射型表示装置１０において所望の表示に利用される領域、という意味である。
【００２３】
本実施の形態では、図１に示すように、一方の基板１１が視認側に配置され、他方の基板１６が非視認側に配置される。
【００２４】
一方の基板１１としては、ポリエチレン（ＰＥ）、ポリエチレンテレフタレート（ＰＥＴ）、ポリエーテルサルフォン（ＰＥＳ）、ポリエチレンナフタレート（ＰＥＮ）等の透光性フィルムや透光性ガラスに、共通電極１２として、酸化インジウムスズ（ＩＴＯ）、酸化亜鉛（ＺｎＯ）、酸化スズ（ＳｎＯ）等の透光性電極を付したものが、典型的に用いられる。本実施の形態の共通電極１２は、セグメント駆動用の共通電極として形成されている。
【００２５】
共通電極１２は、塗工法やスパッタリング法、真空蒸着法、ＣＶＤ法等によって、少なくとも一方の基板１１の複数の表示領域１８ａ、１８ｂ、１８ｄを覆うように形成される。共通電極１２は、必ずしもパターンが形成されている必要は無く、基板全面が電極であってもよい。
【００２６】
一方の基板１１の厚みは、１０μｍ〜１ｍｍが好適である。１０μｍよりも薄いと、パネルとしての強度を得ることができず、破損に至る危険度が増す一方、１ｍｍよりも厚いと、パネル重量が重くなり過ぎて取り扱いが不便になるし、コストも高くなるからである。破損しにくく取り扱いが容易である好適な厚みの範囲は、５０μｍ〜３００μｍ程度である。
【００２７】
一方の基板１１は、ロール状でもシート状でもどちらでも適用可能である。
【００２８】
他方の基板１６としては、樹脂フィルム、樹脂板、ガラス、エポキシガラス（ガラエポ）等の基材が用いられ、当該基材の表示媒体１３側となる面に、金属等の導電性材料によって表示電極１５ａ、１５ｂ、１５ｃが形成されたものが用いられ得る。本実施の形態の表示電極１５ａ、１５ｂ、１５ｃは、セグメント駆動用のパターン状の電極（セグメント電極）として形成されている。図１および図２に示すように、反射型表示装置１０における各表示領域１８ａ、１８ｂ、１８ｃは、個々の表示電極１５ａ、１５ｂ、１５ｃによって規定される。
【００２９】
他方の基板１６は、透光性を有する基材が用いられてもよい。さらに透光性を有しているが不透明な基材であってもよく、電極面とは異なるもう一方の面を粗面化した不透明なガラス基材、樹脂フィルム、樹脂板、ガラス、エポキシガラス（ガラエポ）等が用いられ得る。本実施の形態では、図１に示すように、他方の基板１６は、視認側と反対側の位置に配置されるため、透光性を有している必然性はない。しかし、熱膨張特性など一方の基板１１と同じ物性が必要とされる場合は、一方の基板１１と同様の透光性の部材が使用され得る。
【００３０】
他方の基板１６の厚みも、一方の基板１１の厚みと同様に、１０μｍ〜１ｍｍが好適である。１０μｍよりも薄いと、パネルとしての強度を得ることができず、破損に至る危険度が増す一方、１ｍｍよりも厚いと、パネル重量が重くなり過ぎて取り扱いが不便になりし、コストも高くなるからである。破損しにくく取り扱いが容易である好適な厚みの範囲は、５０μｍ〜３００μｍ程度である。
【００３１】
他方の基板１６も、ロール状でもシート状でもどちらでも適用可能である。
本実施の形態の表示媒体層は、一方の基板１１と他方の基板１６との間において複数のセルを区画する隔壁１４を有しており、各セル内に、表示媒体１３が配置されている。ここで、「セル」とは、電気泳動体の沈降や偏在に起因する表示の不良、特にコントラストの低下を防止するべく２枚の基板１１、１６間において分割された、電気泳動体の微小な泳動空間、すなわち移動空間を意味する。なお、当該移動空間は、マイクロカプセル等、他の構造物によって分割されてもよい。また、電気泳動体の沈降や偏在のおそれが低い場合には、２枚の基板１１、１６間の空間は、このような構造物によって分割されていなくてもよい。
【００３２】
隔壁１４は、紫外線硬化樹脂、熱硬化樹脂、常温硬化樹脂等によって構成可能であり、隔壁１４の形成方法は、フォトリソグラフィ法の他、エンボス加工などの型転写方法も採用され得る。さらに、所望のパターンの構造物を隔壁として製造しておいて、それを一方の基板１１に貼り付けるという方法も採用され得る。開口率は、７０％以上が好ましく、特に９０％以上が好ましい。高開口率であるほど、表示可能エリアが広くなるため、高コントラストを得ることができる。
【００３３】
隔壁１４の単位パターンの形状は、円、格子、六角形、その他の多角形など、基本的に任意である。また、セルのサイズ（ピッチ）は、表示パネルの大きさにもよるが、０．０５ｍｍ〜１ｍｍピッチ、好ましくは０．１ｍｍ〜０．５ｍｍピッチである。ここで、ピッチとは、隣接するセルの中心点間の距離を意味している。
【００３４】
隔壁１４の高さは、５μｍ〜５０μｍ、好ましくは１０μｍ〜５０μｍである。５μｍ以下では、充填するインキ量が少なく、十分な表示特性、特にコントラストが得られない一方、５０μｍ以上では、パネルの厚みが厚すぎて、駆動電圧が上昇し過ぎてしまう。低駆動電圧で良好な表示特性が得られるという観点から、１０μｍ〜５０μｍの範囲の高さが好適である。
【００３５】
隔壁１４の頂面と、他方の基板１６上の表示電極１５ａ、１５ｂ、１５ｃまたは他方の基板１６と、の間には、隔壁１４の頂面と、他方の基板１６上の表示電極１５ａ、１５ｂ、１５ｃまたは他方の基板１６と、を接着させるための接着層（不図示）が設けられていてもよい。
【００３６】
接着層は、例えば転写法や印刷法により、ポリエステル系熱可塑性接着剤のような熱可塑性樹脂が、１μｍ〜１００μｍの厚みで形成される。好ましくは、１μｍ〜５０μｍの厚みで形成され、特に好ましくは、１μｍ〜２０μｍの厚みで形成される。
【００３７】
接着層を形成するための接着剤としては、熱可塑性材料を用いた接着剤が好ましく、加熱により軟化して、冷却すると固化する性質を有し、冷却と加熱を繰り返した場合に、組成が可逆的に保たれる材料である。
【００３８】
接着層として、具体的には、例えば、エチレン−酢酸ビニル共重合体、ポリエステル、ポリアミド、ポリオレフィン、ポリウレタンなどの熱可塑性ベースポリマーや、天然ゴム、スチレン−ブタジエンブロック共重合体、スチレン−イソプレンブロック共重合体、スチレン−エチレン−ブチレン−スチレンブロック共重合体、スチレン−エチレン−プロピレン−スチレン共重合体などの熱可塑性エラストマーを主成分とし、粘着性付与樹脂や可塑剤を配合した樹脂が主に使用される。
【００３９】
隔壁１４と接着層との密着性を上げるために、隔壁１４に紫外線照射やプラズマ処理などにより表面処理が施されてもよいし、プライマーが形成されてもよい。あるいは、接着層の方にシランカップリング剤が添加されてもよい。
【００４０】
表示媒体１３は、少なくとも１種以上の電気応答性材料を含んでいる。電気応答性材料としては、白色や黒色、カラーなどの色づけされた荷電粒子が電界に応答して移動する、いわゆる電気泳動粒子、または、粒子が二色に色分けされ電界により回転するツイストボールに代表される材料、または、電界により移動するナノ粒子材料等などが用いられる。  本実施の形態においては、表示媒体１３は、分散媒と、当該分散媒に分散された白色の電気泳動粒子および黒色の電気泳動粒子と、を含んでいる。黒色の電気泳動粒子は、正に帯電されており、白色の電気泳動粒子は、負に帯電されている。これにより、表示電極１５ａ、１５ｂ、１５ｃの電位が共通電極１２の電位よりも低くされると、正に帯電した黒色の電気泳動粒子が、分散媒中を表示電極１５ａ、１５ｂ、１５ｃの側に引き寄せられるように泳動し、負に帯電した白色の電気泳動粒子が、分散媒中を共通電極１２の側に引き寄せられるように泳動するようになっている。また、表示電極１５ａ、１５ｂ、１５ｃの電位が共通電極１２の電位よりも高くされると、正に帯電した黒色の電気泳動粒子が、分散媒中を共通電極１２の側に引き寄せられるように泳動し、負に帯電した白色の電気泳動粒子が、分散媒中を表示電極１５ａ、１５ｂ、１５ｃの側に引き寄せられるように泳動するようになっている。そして、このような白色の電気泳動粒子および黒色の電気泳動粒子の泳動を制御することにより、各表示領域１８ａ、１８ｂ、１８ｃにおいて、白色および黒色のうちいずれか一方の表示色を共通電極１２側（すなわち、視認側）に選択的に表示できるようになっている。
【００４１】
本実施の形態では、図１および図２に示すように、表示媒体１３は外周シール１７によって取り囲まれている。図示された例では、反射型表示装置１０は矩形状であり、これに対応して、外周シール１７は矩形状に配置されている。
【００４２】
外周シール１７は、一方の基板１１上、あるいは、他方の基板１６上に、例えば紫外線硬化樹脂のような接着剤が、ディスペンサを用いて矩形状に塗布され、その後に紫外線によって硬化されることで形成されている。紫外線硬化樹脂の他に、熱硬化樹脂、常温硬化樹脂、ヒートシール樹脂等によっても構成可能である。また、外周シール１７は、ディスペンサの他に、各種の印刷法によって、あるいは、熱圧着によって配置可能である。
【００４３】
図１に示すように、本実施の形態による反射型表示装置１０は、更に、共通電極１２および各表示電極１５ａ、１５ｂ、１５ｃに電気的に接続され、少なくともＧＮＤ電位と、ＧＮＤ電位とは異なる第１電位と、ＧＮＤ電位に対して第１電位と同極性であって当該第１電位より絶対値が大きい第２電位と、を選択的に出力可能なドライバＩＣ２０と、ドライバＩＣ２０から共通電極１２および各表示電極１５ａ、１５ｂ、１５ｃへの電圧印加および当該ドライバＩＣ２０への電源電圧の供給を制御する電圧印加制御部２２と、を備えている。なお、本明細書において「ＧＮＤ電位」とは、接地電位を意味する。
【００４４】
ドライバＩＣ２０は、少なくとも４つの出力端子と、電源電圧入力端子と、を有している。各出力端子は、それぞれ別個に、共通電極１２または各表示電極１５ａ、１５ｂ、１５ｃに電気的に接続されている。電源電圧入力端子は、スイッチ２３を介して外部電源２１に電気的に接続されている。ドライバＩＣ２０は、各出力端子から共通電極１２または各表示電極１５ａ、１５ｂ、１５ｃに対して別個に、少なくともＧＮＤ電位（０Ｖ）と、ＧＮＤ電位とは異なる第１電位（例えば＋１５Ｖ）と、ＧＮＤ電位に対して第１電位と同極性であって当該第１電位より絶対値が大きい第２電位（例えば＋３０Ｖ）と、を選択的に出力可能である。
【００４５】
電圧印加制御部２２は、ドライバＩＣ２０に通信接続されており、ドライバＩＣ２０の各出力端子から出力される電位を各出力端子ごとに個別に制御するようになっている。また、電圧印加制御部２２は、外部電源２１とドライバＩＣ２０との間に設けられたスイッチ２３に通信接続されており、当該スイッチ２３の動作を制御するようになっている。
【００４６】
本実施の形態では、電圧印加制御部２２は、表示書き換えタイミングにおいて、共通電極１２に第１電位を接続するとともに、各表示電極１５ａ、１５ｂ、１５ｃにＧＮＤ電位と第１電位と第２電位とからなる群のうちのいずれかを選択的に接続し、その後、共通電極１２と各表示電極１５ａ、１５ｂ、１５ｃとにＧＮＤ電位を接続し、共通電極１２と各表示電極１５ａ、１５ｂ、１５ｃとがＧＮＤ電位に接続された状態で、ドライバＩＣ２０に供給される電源電圧を遮断するようになっている。
【００４７】
具体的には、例えば、表示書き換えタイミングにおいて、白色から黒色に表示色を切り替えるべき表示領域（例えば符号１８ａの表示領域）については、電圧印加制御部２２は、共通電極１２に第１電位（＋１５Ｖ）を接続するとともに、表示電極１５ａに第２電位（＋３０Ｖ）を接続するようになっている。表示電極１５ａに第２電位が接続されることで、正に帯電した黒色の電気泳動粒子が共通電極１２側に移動すると共に、負に帯電した白色の電気泳動粒子が表示電極１５ａ側に移動し、結果的に、当該表示領域１８ａの共通電極１２側（視認側）には黒色が表示される。
【００４８】
また、表示書き換えタイミングにおいて、黒色から白色に表示色を切り替えるべき表示領域（例えば符号１８ｂの表示領域）については、電圧印加制御部２２は、共通電極１２に第１電位（＋１５Ｖ）を接続するとともに、表示電極１５ｂにＧＮＤ電位（０Ｖ）を接続するようになっている。表示電極１５ｂにＧＮＤ電位が接続されることで、負に帯電した白色の電気泳動粒子が共通電極１２側に移動すると共に、正に帯電した黒色の電気泳動粒子が表示電極１５ｂ側に移動し、結果的に、当該表示領域１８ｂの共通電極１２側（視認側）には白色が表示される。
【００４９】
また、表示書き換えタイミングにおいて、表示色をそのまま保持すべき表示領域（例えば符号１８ｃの表示領域）については、電圧印加制御部２２は、共通電極１２に第１電位（＋１５Ｖ）を接続するとともに、表示電極１５ｃにも第１電位（＋１５Ｖ）を接続するようになっている。共通電極１２と表示電極１５ｃとが同電位（＋１５Ｖ）に接続されることで、黒色の電気泳動粒子および白色の電気泳動粒子は各々その場に静止し、結果的に、当該表示領域１８ｃの表示色がそのまま保持される。
【００５０】
電圧印加制御部２２は、その後、共通電極１２と各表示電極１５ａ、１５ｂ、１５ｃとに、好ましくは一斉に、ＧＮＤ電位（０Ｖ）を接続するようになっている。共通電極１２と各表示電極１５ａ、１５ｂ、１５ｃとが同電位（０Ｖ）に接続されることで、黒色の電気泳動粒子および白色の電気泳動粒子は各々その場に静止し、結果的に、各表示領域１８ａ、１８ｂ、１８ｃの表示色がそのまま保持され、すなわち、反射型表示装置１０の表示状態（表示画像）がそのまま保持される。
【００５１】
電圧印加制御部２２は、共通電極１２と各表示電極１５ａ、１５ｂ、１５ｃとがＧＮＤ電位（０Ｖ）に接続された状態で、スイッチ２３の動作を制御して、ドライバＩＣ２０に供給される電源電圧を遮断するようになっている。なお、電圧印加制御部２２は、ドライバＩＣ２０に供給される電源電圧を遮断する限りでは、スイッチ２３を開状態にしてドライバＩＣ２０を外部電源２１から切り離してもよいし、スイッチ２３の接続先を切り替えてドライバＩＣ２０の電源電圧入力端子にＧＮＤ電位を接続してもよい。ドライバＩＣ２０に供給される電源電圧が遮断されることで、低消費電力化（省待機電力化）が達成され得る。また、ドライバＩＣ２０に供給される電源電圧が遮断されることで、ドライバＩＣ２０から共通電極１２および各表示電極１５ａ、１５ｂ、１５ｃへの電圧印加が停止されるが、共通電極１２および各表示電極１５ａ、１５ｂ、１５ｃはＧＮＤ電位（０Ｖ）に予め接続されていたため、共通電極１２および各表示電極１５ａ、１５ｂ、１５ｃの電位が自由放電によって変化することが抑制され得る。そのため、共通電極１２および各表示電極１５ａ、１５ｂ、１５ｃの間に電位差が生じることも抑制され得る。したがって、ドライバＩＣ２０に供給される電源電圧を遮断する際に反射型表示装置１０の表示状態（表示画像）が乱れることが抑制され得る。
【００５２】
なお、本明細書において「表示書き換えタイミング」とは、反射型表示装置１０において観察者に対して所望の表示画像を改めて表示するタイミング、という意味であり、例えばデジタル表示時計のように所定の周期（例えば１ｓ）で繰り返すタイミングであってもよいし、電卓のように手動で不規則的に与えられるタイミングであってもよい。
【００５３】
また、電圧印加制御部２２は、大きさＶの電圧を時間長Ｔだけ印加する場合、大きさＶの電圧を時間長Ｔだけ連続して印加するようになっていてもよいし、大きさＶで時間長（パルス幅）Ｗのパルス状の電圧をＴ／Ｗ回だけ繰り返し印加するようになっていてもよい。
【００５４】
さらに、本実施の形態では、電圧印加制御部２２は、表示書き換えタイミングにおいて、共通電極１２に第１電位を接続するとともに、各表示電極１５ａ、１５ｂ、１５ｃにＧＮＤ電位と第１電位と第２電位とからなる群のうちのいずれかを選択的に接続した後、共通電極１２と各表示電極１５ａ、１５ｂ、１５ｃとにＧＮＤ電位を接続する前に、ＧＮＤ電位に接続された表示電極（前記具体例では表示電極１５ｂ）および／または第２電位に接続された表示電極（前記具体例では表示電極１５ａ）に第１電位を接続するようになっている。
【００５５】
このような態様によれば、白色（第１色）から黒色（第２色）への表示色の書き換えを行う電圧印加の終了のタイミングと黒色（第２色）から白色（第１色）への表示色の書き換えを行う電圧印加の終了のタイミングとを、好ましくは一斉の、ＧＮＤ電位接続のタイミングで揃える必要が無くなり、言い換えれば、白色（第１色）から黒色（第２色）への表示色の書き換えを行う電圧印加時間と黒色（第２色）から白色（第１色）への表示色の書き換えを行う電圧印加時間とを異ならせることが可能である。これにより、例えば、白色（第１色）から黒色（第２色）への表示色の書き換えに必要な電圧印加時間が黒色（第２色）から白色（第１色）への表示色の書き換えに必要な電圧印加時間より長い場合に、白色（第１色）から黒色（第２色）への表示色の書き換えを行う電圧印加の終了のタイミングと黒色（第２色）から白色（第１色）への表示色の書き換えを行う電圧印加の終了のタイミングとを一斉のＧＮＤ電位接続のタイミングで揃えることで、黒色（第２色）から白色（第１色）への表示色の書き換えを行う電圧印加時間が過剰になって表示素子を劣化させてしまったり、白色（第１色）から黒色（第２色）の表示色の書き換えを行う電圧印加時間が不足して書き換えが不十分になったりする、という問題を防止できる。
【００５６】
次に、このような構成からなる反射型表示装置１０の駆動方法の一例について、図３（ａ）〜図３（ｄ）および図４を参照して説明する。以下、各表示領域１８ａ、１８ｂ、１８ｃを、それぞれ、第１表示領域１８ａ、第２表示領域１８ｂ、第３表示領域１８ｃともいう。また、各表示電極１５ａ、１５ｂ、１５ｃを、それぞれ、第１表示電極１５ａ、第２表示電極１５ｂ、第３表示電極１５ｃともいう。
【００５７】
図３（ａ）〜図３（ｄ）は、それぞれ、本実施の形態による反射型表示装置１０に表示される表示画像の一例を示す概略図である。図４は、図３（ａ）〜図３（ｄ）に示す表示画像をこの順序で切り替える際に、各表示電極１５ａ、１５ｂ、１５ｃに印加される電圧の波形を示す概略図である。
【００５８】
本実施の形態において、初期状態では、図３（ａ）に示すような初期画像が表示されている。すなわち、第１表示領域１８ａおよび第３表示領域１８ｂには白色が表示されており、第２表示領域１８ｂには黒色が表示されている。初期状態では、ドライバＩＣへの電源電圧の供給が遮断されており、共通電極１２および各表示電極１５ａ、１５ｂ、１５ｃへの電圧印加が停止されている。
【００５９】
まず、図３（ａ）に示される初期画像から、図３（ｂ）に示される第１画像に書き換える工程、すなわち、第１表示領域１８ａおよび第３表示領域１８ｃの表示色を白色から黒色に切り替え、第２表示領域１８ｂの表示色を黒色から白色に切り替える工程を説明する。
【００６０】
この場合、図４に示すように、表示書き換えタイミングにおいて、電圧印加制御部２２は、共通電極１２に第１電位（例えば＋１５Ｖ）を接続する。また、電圧印加制御部２２は、第１表示電極１５ａおよび第３表示電極１５ｃに第２電位（例えば＋３０Ｖ）を接続し、その後第１電位（すなわち＋１５Ｖ）を接続する。これにより、第１表示領域１８ａおよび第３表示領域１８ｃの表示色は、白色から黒色に切り替わる。一方、電圧印加制御部２２は、第２表示電極１５ｂにＧＮＤ電位（すなわち０Ｖ）を接続し、その後第１電位（すなわち＋１５Ｖ）。これにより、第２表示領域１８ｂの表示色は、黒色から白色に切り替わる。
【００６１】
次に、電圧印加制御部２２は、共通電極１２と各表示電極１５ａ、１５ｂ、１５ｃとに一斉にＧＮＤ電位（すなわち０Ｖ）を接続し、共通電極１２と各表示電極１５ａ、１５ｂ、１５ｃとがＧＮＤ電位（すなわち０Ｖ）に接続された状態で、ドライバＩＣ２０に供給される電源電圧を遮断する。ドライバＩＣ２０に供給される電源電圧が遮断されることで、ドライバＩＣ２０から共通電極１２および各表示電極１５ａ、１５ｂ、１５ｃへの電圧印加が停止されるが、共通電極１２および各表示電極１５ａ、１５ｂ、１５ｃはＧＮＤ電位（０Ｖ）に予め接続されていたため、共通電極１２および各表示電極１５ａ、１５ｂ、１５ｃの電位が放電によって変化することが抑制され、共通電極１２および各表示電極１５ａ、１５ｂ、１５ｃの間に電位差が生じることも抑制され得る。そのため、各表示領域１８ａ、１８ｂ、１８ｃの表示色がそのまま保持され、図３（ｂ）に示す第１画像の表示状態が乱れることが抑制される。
【００６２】
次に、図３（ｂ）に示される第１画像から、図３（ｃ）に示される第２画像に書き換える工程、すなわち、第１表示領域１８ａおよび第３表示領域１８ｄの表示色を黒色から白色に切り替え、第２表示領域１８ｂの表示色を白色から黒色に切り替える工程を説明する。
【００６３】
この場合、図４に示すように、次の表示書き換えタイミングにおいて、電圧印加制御部２２は、共通電極１２に第１電位（すなわち＋１５Ｖ）を接続する。また、電圧印加制御部２２は、第１表示電極１５ａおよび第３表示電極１５ｃにＧＮＤ電位（すなわち０Ｖ）を接続し、その後第１電位（すなわち＋１５Ｖ）を接続する。これにより、第１表示領域１８ａおよび第３表示領域１８ｃの表示色は、黒色から白色に切り替わる。一方、電圧印加制御部２２は、第２表示電極１５ｂに第２電位（すなわち＋３０Ｖ）を接続し、その後第１電位（すなわち＋１５Ｖ）。これにより、第２表示領域１８ｂの表示色は、白色から黒色に切り替わる。
【００６４】
次に、電圧印加制御部２２は、共通電極１２と各表示電極１５ａ、１５ｂ、１５ｃとに一斉にＧＮＤ電位（すなわち０Ｖ）を接続し、共通電極１２と各表示電極１５ａ、１５ｂ、１５ｃとがＧＮＤ電位（すなわち０Ｖ）に接続された状態で、ドライバＩＣ２０に供給される電源電圧を遮断する。ドライバＩＣ２０に供給される電源電圧が遮断されることで、ドライバＩＣ２０から共通電極１２および各表示電極１５ａ、１５ｂ、１５ｃへの電圧印加が停止されるが、共通電極１２および各表示電極１５ａ、１５ｂ、１５ｃはＧＮＤ電位（０Ｖ）に予め接続されていたため、共通電極１２および各表示電極１５ａ、１５ｂ、１５ｃの電位が放電によって変化することが抑制され、共通電極１２および各表示電極１５ａ、１５ｂ、１５ｃの間に電位差が生じることも抑制され得る。そのため、各表示領域１８ａ、１８ｂ、１８ｃの表示色がそのまま保持され、図３（ｃ）に示す第２画像の表示状態が乱れることが抑制される。
【００６５】
次に、図３（ｃ）に示される第２画像から、図３（ｄ）に示される第３画像に書き換える工程、すなわち、第２表示領域１８ｂの表示色を黒色から白色に切り替え、第１表示領域１８ａおよび第３表示領域１８ｄの表示色をそのまま保持する工程を説明する。
【００６６】
この場合、図４に示すように、次の表示書き換えタイミングにおいて、電圧印加制御部２２は、共通電極１２に第１電位（すなわち＋１５Ｖ）を接続する。また、電圧印加制御部２２は、第１表示電極１５ａおよび第３表示電極１５ｃにも第１電位（すなわち＋１５Ｖ）を接続する。これにより、第１表示領域１８ａおよび第３表示領域１８ｃの表示色は、そのまま保持される。一方、電圧印加制御部２２は、第２表示電極１５ｂにＧＮＤ電位（すなわち０Ｖ）を接続し、その後第１電位（すなわち＋１５Ｖ）を接続する。これにより、第２表示領域１８ｂの表示色は、黒色から白色に切り替わる。
【００６７】
次に、電圧印加制御部２２は、共通電極１２と各表示電極１５ａ、１５ｂ、１５ｃとに一斉にＧＮＤ電位（すなわち０Ｖ）を接続し、共通電極１２と各表示電極１５ａ、１５ｂ、１５ｃとがＧＮＤ電位（すなわち０Ｖ）に接続された状態で、ドライバＩＣ２０に供給される電源電圧を遮断する。ドライバＩＣ２０に供給される電源電圧が遮断されることで、ドライバＩＣ２０から共通電極１２および各表示電極１５ａ、１５ｂ、１５ｃへの電圧印加が停止されるが、共通電極１２および各表示電極１５ａ、１５ｂ、１５ｃはＧＮＤ電位（０Ｖ）に予め接続されていたため、共通電極１２および各表示電極１５ａ、１５ｂ、１５ｃの電位が放電によって変化することが無く、共通電極１２および各表示電極１５ａ、１５ｂ、１５ｃの間に電位差が生じることも無い。そのため、各表示領域１８ａ、１８ｂ、１８ｃの表示色がそのまま保持され、図３（ｄ）に示す第３画像の表示状態が乱れることが抑制される。以上のような本実施の形態によれば、表示書き換えタイミングにおいて、共通電極１２に第１電位を接続するとともに、各表示電極１５ａ、１５ｂ、１５ｃにＧＮＤ電位と第１電位と第２電位とからなる群のうちのいずれかを選択的に接続し、その後、共通電極１２と各表示電極１５ａ、１５ｂ、１５ｃとにＧＮＤ電位を接続し、共通電極１２と各表示電極１５ａ、１５ｂ、１５ｃとがＧＮＤ電位に接続された状態で、ドライバＩＣ２０に供給される電源電圧を遮断することで、ドライバＩＣ２０から共通電極１２および各表示電極１５ａ、１５ｂ、１５ｃへの電圧印加が停止されても、共通電極１２および各表示電極１５ａ、１５ｂ、１５ｃの電位が放電によって変化することが抑制され、共通電極１２および各表示電極１５ａ、１５ｂ、１５ｃの間に電位差が生じることも抑制され得る。したがって、ドライバＩＣ２０に供給される電源電圧を遮断する際に反射型表示装置１０の表示状態（表示画像）が乱れることが抑制され得る。
【００６８】
また、本実施の形態によれば、表示書き換えタイミングにおいて、共通電極１２に第１電位を接続するとともに、各表示電極１５ａ、１５ｂ、１５ｃにＧＮＤ電位と第１電位と第２電位とからなる群のうちのいずれかを選択的に接続した後、共通電極１２と各表示電極１５ａ、１５ｂ、１５ｃとにＧＮＤ電位を接続する前に、ＧＮＤ電位に接続された表示電極および／または第２電位に接続された表示電極に第１電位を接続することで、第１色から第２色への表示色の書き換えを行う電圧印加の終了のタイミングと第２色から第１色への表示色の書き換えを行う電圧印加の終了のタイミングとを、一斉のＧＮＤ電位接続のタイミングで揃える必要が無くなり、言い換えれば、第１色から第２色への表示色の書き換えを行う電圧印加時間と第２色から第１色への表示色の書き換えを行う電圧印加時間とを異ならせることが可能である。これにより、例えば、第１色から第２色への表示色の書き換えに必要な電圧印加時間が第２色から第１色への表示色の書き換えに必要な電圧印加時間より長い場合に、第１色から第２色への表示色の書き換えを行う電圧印加の終了のタイミングと第２色から第１色への表示色の書き換えを行う電圧印加の終了のタイミングとをＧＮＤ電位接続のタイミングで揃えることで、第２色から第１色への表示色の書き換えを行う電圧印加時間が過剰になって表示素子を劣化させてしまったり、第１色から第２色の表示色の書き換えを行う電圧印加時間が不足して書き換えが不十分になったりする、という問題を防止できる。
【符号の説明】
【００６９】
１０      反射型表示装置
１１      一方の基板
１２      共通電極
１３      表示媒体
１４      隔壁
１５ａ    表示電極
１５ｂ    表示電極
１５ｃ    表示電極
１６      他方の基板
１７      外周シール
１８ａ    表示領域
１８ｂ    表示領域
１８ｃ    表示領域
２０      ドライバＩＣ
２１      外部電源
２２      電圧印加制御部
２３      スイッチ
【図１】
2015232609.tif 000003
【図２】
2015232609.tif 000004
【図３】
2015232609.tif 000005
【図４】
2015232609.tif 000006